(57)【要約】【課題】詳細な表示制御ができる表示装置を提供する。【解決手段】表示装置（１００）は、自装置の表示部（１３０）に表示させる自装置向け画像データ（１５３）および自装置に接続された外部表示機器（２００）に表示させる外部表示機器向け画像データ（１５４）を生成する画像データ生成部（１６２）と、前記自装置向け画像データおよび前記外部表示機器向け画像データをそれぞれ対象の装置に表示させる画像データ出力部（１６３）と、を備えており、前記外部表示機器向け画像データは前記自装置向け画像データの少なくとも一部の領域を判読困難にした画像データである。【選択図】図１
2019124817.tif 000002
【特許請求の範囲】
【請求項１】
自装置に接続された外部表示機器にコンテンツ情報を表示可能な表示装置であって、
自装置の表示部に表示させる自装置向け画像データおよび前記外部表示機器に表示させる外部表示機器向け画像データを生成する画像データ生成部と、
前記自装置向け画像データおよび前記外部表示機器向け画像データのそれぞれを対象の装置に表示させる画像データ出力部と、を備えており、
前記外部表示機器向け画像データは前記自装置向け画像データの少なくとも一部の領域を判読困難にした画像データであることを特徴とする表示装置。
【請求項２】
前記コンテンツ情報は、学習用の情報を含んでいることを特徴とする請求項１に記載の表示装置。
【請求項３】
前記自装置向け画像データおよび前記外部表示機器向け画像データは、少なくとも１つのキーワードを含むキーワード領域と、前記キーワードの詳細情報を含む詳細情報領域とを含んでおり、
前記判読困難にした領域は、前記詳細情報領域の少なくとも一部に対して設定されることを特徴とする請求項１または２に記載の表示装置。
【請求項４】
前記自装置向け画像データは、前記外部表示機器向け画像データ中の前記判読困難にした領域に対応する前記自装置向け画像データ中の領域を、前記自装置向け画像データ中の他の領域と区別するための識別情報を含んでいることを特徴とする請求項１から３のいずれか１項に記載の表示装置。
【請求項５】
前記判読困難にした領域を設定および解除する領域設定部をさらに備えていることを特徴とする請求項１から４のいずれか１項に記載の表示装置。
【請求項６】
前記画像データ生成部は、前記自装置向け画像データに基づいて前記外部表示機器向け画像データを生成するものであって、前記外部表示機器向け画像データの生成の実行および停止を、ユーザ操作にしたがって切り替え可能であることを特徴とする請求項１から５のいずれか１項に記載の表示装置。
【請求項７】
前記表示装置は、少なくとも１つの第２外部表示機器と通信可能に接続されており、前記画像データ出力部は、前記第２外部表示機器に対して前記自装置向け画像データまたは前記外部表示機器向け画像データを送信し、表示させることを特徴とする請求項１から６のいずれか１項に記載の表示装置。
【請求項８】
前記表示装置と同一の前記コンテンツ情報を備えている少なくとも１つの第２外部表示機器と通信可能に接続されており、前記コンテンツ情報を表示するために当該表示装置に対して入力された入力内容の履歴を前記第２外部表示機器へ送信し、表示内容を同期させる入力内容同期部をさらに備えていることを特徴とする請求項１から６のいずれか１項に記載の表示装置。
【請求項９】
請求項１から８のいずれか１項に記載の表示装置と、
前記表示装置と接続され、前記外部表示機器向け画像データを表示する外部表示機器と、
前記表示装置と通信可能に接続されている少なくとも１つの生徒用機器と、を備えていることを特徴とする表示制御システム。
【請求項１０】
自装置に接続された外部表示機器にコンテンツ情報を表示可能な表示装置の表示制御方法であって、
自装置の表示部に表示させる自装置向け画像データおよび前記外部表示機器に表示させる外部表示機器向け画像データを生成する画像データ生成ステップと、
前記自装置向け画像データおよび前記外部表示機器向け画像データのそれぞれを対象の装置に表示させる画像データ出力ステップと、を含み、
前記外部表示機器向け画像データは前記自装置向け画像データの少なくとも一部の領域を判読困難にした画像データであることを特徴とする表示制御方法。
【発明の詳細な説明】
【技術分野】
【０００１】
本発明は、学習用の教材等を外部表示機器に表示可能な表示装置等に関する。
【背景技術】
【０００２】
自装置の外部に配置された外部表示機器にコンテンツ情報を表示させることが可能な表示装置が従来技術として知られている。そのような表示装置において、外部表示機器に、加工したコンテンツ情報を表示させる技術も知られている。例えば、特許文献１には、送信側の状態に関する情報を付加して受信側へメッセージを送信する、または受信側がメッセージを受信したときに、当該受信側の状態に基づいて制限付きのメッセージを出力するメッセージ通信システムが開示されている。特許文献２には、電子黒板において教科書の本文のみを表示する本文表示モードが選択されると、生徒端末において当該本文の表示を禁止する授業支援システムが開示されている。
【先行技術文献】
【特許文献】
【０００３】
【特許文献１】特許第５８９３０４９号公報（２０１６年３月４日公開）
【特許文献２】特開２０１２−２０３１５４号公報（２０１２年１０月２２日公開）
【発明の概要】
【発明が解決しようとする課題】
【０００４】
しかしながら、前述のような従来技術は、コンテンツ情報のうち、ユーザが意図した部分のみを加工して表示させるといった詳細な表示制御を行うことができない。例えば、特許文献１に記載の発明は、表示装置を用いて先生が電子黒板等の外部表示機器に制限付きのメッセージを表示させて複数の生徒に当該メッセージを示すような場合に、表示装置側で制限すべき範囲を指定することができない。特許文献２に記載の発明も、電子黒板および生徒端末に教科書の同一のページを表示させ、かつ当該ページの一部のみを表示および非表示のいずれかとすることができない。
【０００５】
本発明の一態様は、前記の問題に鑑みてなされたものであり、詳細な表示制御ができる表示装置を提供することを目的とする。
【課題を解決するための手段】
【０００６】
前記の課題を解決するために、本発明の一態様に係る表示装置は、自装置に接続された外部表示機器にコンテンツ情報を表示可能な表示装置であって、前記表示装置は、自装置の表示部に表示させる自装置向け画像データおよび前記外部表示機器に表示させる外部表示機器向け画像データを生成する画像データ生成部と、前記自装置向け画像データおよび前記外部表示機器向け画像データのそれぞれを対象の装置に表示させる画像データ出力部と、を備えており、前記外部表示機器向け画像データは前記自装置向け画像データについて、少なくとも一部の領域を判読困難にした画像データである構成である。
【０００７】
本発明の一態様に係る表示制御方法は、自装置に接続された外部表示機器にコンテンツ情報を表示可能な表示装置の表示制御方法であって、自装置の表示部に表示させる自装置向け画像データおよび前記外部表示機器に表示させる外部表示機器向け画像データを生成する画像データ生成ステップと、前記自装置向け画像データおよび前記外部表示機器向け画像データのそれぞれを対象の装置に表示させる画像データ出力ステップと、を含み、前記外部表示機器向け画像データは前記自装置向け画像データについて、少なくとも一部の領域を判読困難にした画像データとした方法である。
【発明の効果】
【０００８】
本発明の一態様によれば、詳細な表示制御ができる表示装置等を提供するという効果を奏する。
【図面の簡単な説明】
【０００９】
【図１】本発明の実施形態１に係る表示制御システムの要部構成の一例を示すブロック図である。
【図２】本発明の実施形態１に係る表示制御システムにおける表示制御の概要を示す模式図であり、（ａ）はプレビュー領域を黒塗り領域とした例を示し、（ｂ）はジャンプ先プレビュー領域を黒塗り領域とした例を示している。
【図３】本発明の実施形態１に係る表示制御システムにおいて、表示装置が生徒用機器の表示制御を行う概要を示す模式図である。
【図４】本発明の実施形態１に係る表示装置が実行する処理の一例を示すフローチャートである。
【図５】本発明の実施形態２に係る表示装置が実行する処理の一例を示すフローチャートである。
【図６】本発明の実施形態３に係る表示制御システムにおける表示制御の概要を示す模式図であり、（ａ）は表示装置と外部表示機器との間で画像データが同期して表示されている状態を示し、（ｂ）は外部表示機器における表示内容の更新を停止した状態を示している。
【図７】本発明の実施形態３に係る表示制御システムにおける表示制御の概要を示す模式図であり、（ａ）は外部表示機器における表示内容の更新を停止した状態を示し、（ｂ）は表示装置と外部表示機器との間で画像データが同期して表示されている状態を示している。
【図８】本発明の実施形態３に係る表示制御システムにおける表示制御の概要を示す模式図であり、（ａ）は外部表示機器における表示内容の更新を停止して黒塗り領域を解除する場合を示し、（ｂ）は（ａ）の後、外部表示機器の表示内容の更新を再開した場合を示している。
【図９】本発明の実施形態３に係る表示装置が実行する処理の一例を示すフローチャートである。
【発明を実施するための形態】
【００１０】
〔実施形態１〕
本発明の実施形態１について、図１〜図４を用いて詳細に説明する。
【００１１】
（表示制御システムの構成）
本発明の実施形態１に係る表示制御システム１の構成について、図１を用いて説明する。図１は、表示制御システム１の要部構成の一例を示すブロック図である。図示の例において、表示制御システム１は、表示装置１００、外部表示機器２００、および３つの生徒用機器３００ａ〜３００ｃを備えている。
【００１２】
表示制御システム１は、表示装置１００を用いて外部表示機器２００および生徒用機器３００ａ〜３００ｃに画像データを表示させるシステムである。このとき、表示装置１００において、表示装置１００が外部表示機器２００に表示させる画像データは、少なくとも一部の領域を判読困難にした画像データであってもよい。
【００１３】
（表示装置の構成）
表示装置１００は、コンテンツ情報を表示するための装置であり、外部表示機器２００および生徒用機器３００ａ〜３００ｃのそれぞれと接続されている。ここで表示装置１００は、例えば教室などにおいて先生が使用する装置であり、コンテンツ情報は学習用教材の情報を含んでいることが好適である。表示装置１００は、接続部１１０、通信部１２０、表示部１３０、入力部１４０、記憶部１５０、および制御部１６０を備えている。記憶部１５０は、コンテンツ情報１５１、黒塗り領域情報１５２、自装置向け画像データ１５３、外部表示機器向け画像データ１５４、および入力履歴１５５を備えている。制御部１６０は、黒塗り領域設定部１６１、画像データ生成部１６２、画像データ出力部１６３、入力内容同期部１６４と、を備えている。
【００１４】
表示装置１００は、自装置に接続された外部表示機器２００に、コンテンツ情報を表示させることができる。例えば表示装置１００は、任意のアプリケーションによって生成された画像データを自装置にそのまま表示し、外部表示機器２００には当該画像データの一部の領域を判読困難に黒塗りした別の画像データを表示させる。なお、黒塗り領域は当該黒塗り領域に含まれるコンテンツ情報が判読困難となっていればよい。黒塗りによって判読困難にした領域（以下、判読困難領域とする）は、当該領域が黒塗りされた黒塗り領域であってもよいし、黒以外の特定の色やパターンを重畳させるものであってもよいし、別の画像を重畳させるものであってもよい。例えば黒塗り領域は、遠くから見ると全く判別できないが、近くでよく見ると判読できるようなものであってもよい。なお、以下の説明では判読困難領域として黒塗り領域を設定するものとする。
【００１５】
接続部１１０は、表示装置１００と外部表示機器２００とを接続するインターフェースである。接続部１１０は、例えばＵＳＢ（Ｕｎｉｖｅｒｓａｌ  Ｓｅｒｉａｌ  Ｂｕｓ）やＨＤＭＩ（Ｈｉｇｈ  Ｄｅｆｉｎｉｔｉｏｎ  Ｍｕｌｔｉｍｅｄｉａ  Ｉｎｔｅｒｆａｃｅ：登録商標）などの入出力ポートである。
【００１６】
通信部１２０は、表示装置１００と生徒用機器３００ａ〜３００ｃとの間でデータを送受信するためのインターフェースである。通信部１２０は、例えば有線ＬＡＮ（Ｌｏｃａｌ  Ａｒｅａ  Ｎｅｔｗｏｒｋ）、無線ＬＡＮ、およびＢｌｕｅｔｏｏｔｈ（登録商標）などを用いてデータの送受信を行う。
【００１７】
表示部１３０は、自装置向け画像データ１５３を表示するディスプレイである。
【００１８】
入力部１４０は、表示装置１００に対してユーザが各種指示を行うためのインターフェースである。入力部１４０は、例えば表示部１３０と一体に形成されたタッチパネルとして与えられてもよいし、表示部１３０とは独立したボタンやマウスなどによって与えられてもよい。表示装置１００は、入力部１４０へのユーザ入力にしたがって、黒塗り領域の設定および解除を行うことができる。また、入力部１４０への入力はユーザの指で行われてもよいし、タッチペンなどの道具を用いて行われてもよい。
【００１９】
記憶部１５０は、表示部１３０が取り扱う各種情報を格納する。記憶部１５０は各種情報を格納することが可能な構成であればどのようなものであってもよく、例えば複数のハードウェアを組み合わせたものであってもよい。具体的には、コンテンツ情報１５１、黒塗り領域情報１５２、および入力履歴１５５は長期的に保存されることが期待されるので、ハードディスクや不揮発性メモリなどに保存されることが好適である。一方、自装置向け画像データ１５３および外部表示機器向け画像データ１５４は更新頻度が高いと考えられるため、高速にデータの読み書きが可能な表示専用のＲＡＭ（Ｒａｎｄｏｍ  Ａｃｃｅｓｓ  Ｍｅｍｏｒｙ）などに保存されることが好適である。コンテンツ情報１５１は、表示装置１００が取り扱う実際のコンテンツ情報を含んでいる。コンテンツ情報１５１は、例えば電子辞書アプリケーションといったアプリケーション本体と、当該電子辞書アプリケーションにて使用する辞書データといったデータベースと、を含んでもよい。ここで、辞書データは、登録されている語句をキーワードとし、当該語句に関する詳細な内容をキーワードの詳細情報としてそれぞれ管理してもよい。
【００２０】
黒塗り領域情報１５２は、黒塗り領域設定部１６１によって設定および更新される情報である。具体的には、黒塗り領域情報１５２はコンテンツ情報１５１を自装置向け画像データ１５３および外部表示機器向け画像データ１５４として表示部１３０および外部表示機器２００に表示させる場合に各画像データに対して設定される、識別情報および黒塗り領域に関する情報である。黒塗り領域は、例えば外部表示機器向け画像データ１５４に含まれるコンテンツ情報１５１の種類や内容に応じて設定され、当該黒塗り領域の範囲内のコンテンツ情報を判読困難とすることができる。識別情報は、外部表示機器向け画像データ１５４中の黒塗り領域に対応する自装置向け画像データ１５３中の領域を、当該自装置向け画像データ１５３中の他の領域と区別するための情報である。識別情報は黒塗り領域とは異なり、当該識別情報で示された範囲内のコンテンツ情報は判読可能である。識別情報の具体例については、図２を用いて後述する。
【００２１】
黒塗り領域情報１５２は、例えば外部表示機器向け画像データが電子辞書アプリケーションの画面を含む場合は、辞書データにて管理されているキーワードの詳細情報の少なくとも一部に対して設定される。さらに、黒塗り領域情報１５２は、コンテンツ情報１５１の内容に応じて黒塗り領域を設定しないようにするための情報を含んでもよい。例えばユーザが追加で登録した辞書データなどの、当該ユーザがすべての権利を有する内容を表示する場合は、黒塗り領域を設定しないようにしてもよい。
【００２２】
自装置向け画像データ１５３は、画像データ生成部１６２によって生成され、画像データ出力部１６３によって表示部１３０に表示される画像データである。自装置向け画像データ１５３は、黒塗り領域情報１５２に基づいて識別情報が設定された画像データであり、例えば入力部１４０へのユーザ入力にしたがって選択されたコンテンツ情報１５１のすべての内容を含む。自装置向け画像データ１５３は、少なくとも１つのキーワードを含むキーワード領域と、当該キーワードの詳細情報を含む詳細情報領域とを含んでもよい。
【００２３】
外部表示機器向け画像データ１５４は、画像データ生成部１６２によって生成され、画像データ出力部１６３によって接続部１１０を介して外部表示機器２００に表示される画像データである。外部表示機器向け画像データ１５４は、黒塗り領域情報１５２に基づいて黒塗り領域が設定された画像データである。すなわち、外部表示機器向け画像データ１５４は、黒塗り領域に本来表示されるべきコンテンツ情報の内容が判読困難に例えばマスクされた画像データである。外部表示機器向け画像データ１５４は、自装置向け画像データ１５３と同様に、キーワード領域および詳細情報領域を含んでもよい。
【００２４】
入力履歴１５５は、入力部１４０を用いたユーザ入力の履歴情報である。入力履歴１５５は、ユーザ入力ごとに制御部１６０によって蓄積されるものであるが、例えばアプリケーションの起動や終了といった特定のイベントと紐付けて保存されてもよい。
【００２５】
制御部１６０は、表示装置１００の各部を統括して制御する。制御部１６０は、入力部１４０へのユーザ入力にしたがって、表示装置１００と外部表示機器２００および生徒用機器３００ａ〜３００ｃとの間でデータの送受信を行う。
【００２６】
黒塗り領域設定部１６１は、判読困難領域として黒塗り領域を設定および解除する領域設定部として機能する。より具体的には、黒塗り領域設定部１６１は、入力部１４０へのユーザ入力にしたがって、黒塗り領域情報１５２を更新する。そして、黒塗り領域設定部１６１が更新した黒塗り領域情報１５２の内容にしたがって、識別情報および黒塗り領域が設定および解除される。
【００２７】
画像データ生成部１６２は、表示部１３０に表示させる自装置向け画像データおよび外部表示機器２００に表示させる外部表示機器向け画像データを生成する。画像データ生成部１６２は、生成した自装置向け画像データおよび外部表示機器向け画像データを、自装置向け画像データ１５３および外部表示機器向け画像データ１５４にそれぞれ保存する。画像データ生成部１６２は、コンテンツ情報１５１および黒塗り領域情報１５２に基づいて、識別情報が設定された自装置向け画像データ１５３を生成する。さらに、画像データ生成部１６２は、外部表示機器向け画像データ１５４を更新するための更新トリガーを検知すると、自装置向け画像データ１５３および黒塗り領域情報１５２に基づいて、識別情報が黒塗り領域で重畳された外部表示機器向け画像データ１５４を生成する。ここで、更新トリガーはどのようなものであってもよく、例えば自装置向け画像データ１５３における変化の有無、特定のボタンの押下、および所定の時間の経過などである。
【００２８】
画像データ出力部１６３は、自装置向け画像データ１５３から取得した自装置向け画像データを表示部１３０に表示させる。画像データ出力部１６３は、外部表示機器向け画像データ１５４から取得した外部表示機器向け画像データを、接続部１１０を介して外部表示機器２００へ送信し、表示させる。すなわち、画像データ出力部１６３は、自装置向け画像データ１５３および前記外部表示機器向け画像データ１５４のそれぞれを対象の装置に表示させることができる。
【００２９】
入力内容同期部１６４は、入力履歴１５５から所定の期間に表示装置１００に対してなされたユーザ入力の履歴情報を取得し、当該履歴情報を通信部１２０を介して生徒用機器３００ａ〜３００ｃへ送信する。入力内容同期部１６４の詳細については実施形態２で説明する。
【００３０】
外部表示機器２００は、表示装置１００と接続可能であり、外部表示機器向け画像データ１５４を表示可能な、例えば液晶モニタやプロジェクタである。図示の例において、外部表示機器２００と表示装置１００との間の接続は接続部１１０によって行われているが、例えば生徒用機器３００ａ〜３００ｃと同様に、通信部１２０を用いた通信によって行われてもよい。
【００３１】
生徒用機器３００ａ〜３００ｃは、表示装置１００と通信部１２０を介して通信可能な装置であり、例えば授業中に教室において生徒が使用するタブレット端末である。すなわち、生徒用機器３００ａ〜３００ｃは、外部表示機器２００とは別の第２外部表示機器である。生徒用機器３００ａ〜３００ｃは表示装置１００から画像データを受信し、受信した画像データを自身の備える表示部（図示しない）に表示することができる。本実施形態において、生徒用機器３００ａ〜３００ｃは表示装置１００と通信可能な構成であればよく、例えば表示装置１００と生徒用機器３００ａ〜３００ｃとは別の種類の装置であってもよい。
【００３２】
（表示制御の具体例）
本発明の実施形態１に係る表示制御システム１において、表示装置１００が外部表示機器２００に対して表示制御を行う具体例について、図２を用いて説明する。図２は、表示制御システム１における表示制御の概要を示す模式図であり、（ａ）はプレビュー領域を黒塗り領域とした例を示し、（ｂ）はジャンプ先プレビュー領域を黒塗り領域とした例を示している。なお、以下の説明において、表示装置１００と外部表示機器２００との間の接続は確立済みであるものとする。
【００３３】
図２の（ａ）は、表示装置１００が電子辞書アプリケーションの一括検索画面を表示している場合の、表示部１３０および外部表示機器２００の表示内容を示している。図示の例において、一括検索画面は、検索語の入力欄や検索結果である語句の一覧を含む検索領域、および選択された語句の詳細を表示するプレビュー領域によって構成されている。そして、外部表示機器２００では、プレビュー領域が黒塗り領域に設定されており、当該プレビュー領域の内容が判読困難となっている。一方、表示部１３０では、プレビュー領域が外部表示機器２００において黒塗り領域であることがわかるように、半透明の網掛けが識別情報として付されている。なお、図示のように、黒塗り領域および識別情報には、外部表示機器２００にて当該領域が黒塗り領域とされていることを通知するために「表示制限中」の通知メッセージが付されてもよい。また、識別情報は半透明の網掛けに限定される必要はなく、例えば黒塗り領域に対応する領域を囲む赤色の枠線であってもよいし、当該領域全体に特定のパターン（チェック模様や縞模様など）を適用するものであってもよい。ここで、枠線の色は赤色以外であってもよい。また、特定のパターンは、例えば薄い色であることが好適であり、また網掛けと同様に半透明とすることが好適である。
【００３４】
図２の（ｂ）は、表示装置１００が電子辞書アプリケーションにて特定の語句を選択して詳細画面を表示している場合の、表示部１３０および外部表示機器２００の表示内容を示している。図示の例において、詳細画面は、特定の語句に関する詳細情報を表示する詳細領域、および詳細領域に表示されている内容の中からフォーカスした別の語句に関する詳細情報を表示するジャンプ先プレビュー領域によって構成されている。そして、外部表示機器２００では、ジャンプ先プレビュー領域が黒塗り領域に設定されており、当該ジャンプ先プレビュー領域の内容を判読することができないようになっている。一方、表示部１３０では、ジャンプ先プレビュー領域が外部表示機器２００において黒塗り領域であることがわかるように、半透明の網掛けが識別情報として付されている。表示されている画面の種類は異なるものの、外部表示機器２００に表示される画面の一部に黒塗り領域が設定され、表示部１３０に表示される画面の、当該黒塗り領域に対応する領域に識別情報が付される点は、図２の（ａ）と同様である。
【００３５】
図２では表示装置１００と外部表示機器２００との間の表示制御について説明したが、表示装置１００は、外部表示機器２００との間で表示制御を行いつつ、生徒用機器３００ａ〜３００ｃとの間で別の表示制御を行ってもよい。表示装置１００が生徒用機器３００ａ〜３００ｃとの間で別の表示制御を行う例について、図３を用いて説明する。図３は、表示制御システム１において、表示装置１００が生徒用機器３００ａ〜３００ｃの表示制御を行う概要を示す模式図である。
【００３６】
図示の例において、表示装置１００の表示部１３０および外部表示機器２００には、図２の（ｂ）と同様に詳細画面が表示されている。このとき、表示装置１００は、生徒用機器３００ａ〜３００ｃに対して外部表示機器向け画像データ１５４を送信し、各生徒用機器に表示させることができる。
【００３７】
表示装置１００は、例えば生徒用機器３００ａ〜３００ｃのユーザ（生徒）が外部表示機器２００の視認が困難である場合に、生徒用機器３００ａ〜３００ｃに外部表示機器向け画像データ１５４を表示させることができる。すなわち、表示装置１００の画像データ出力部１６３は通信部１２０を用いて、生徒用機器３００ａ〜３００ｃに対して外部表示機器向け画像データ１５４を送信し、表示させることができる。これにより、ユーザ間でコンテンツ情報を適切に把握させることができる。
【００３８】
（処理の流れ）
本実施形態に係る表示装置１００が実行する処理の流れについて、図４を用いて説明する。図４は、表示装置１００が実行する処理の流れの一例を示すフローチャートである。なお、以下の説明において表示装置１００と外部表示機器２００は接続済みであり、表示部１３０には何らかの画面が表示されているものとする。
【００３９】
まず、黒塗り領域設定部１６１はユーザ入力に基づいて、表示部１３０に表示中である自装置向け画像データ１５３に含まれる所定のコンテンツ情報に対して黒塗り領域を設定し、その設定内容を示す黒塗り領域情報を黒塗り領域情報１５２に保存する（Ｓ１）。次に、画像データ生成部１６２は、コンテンツ情報１５１から所定のコンテンツ情報を取得し、さらに黒塗り領域情報１５２から当該所定のコンテンツ情報に対する黒塗り領域情報を取得する。そして画像データ生成部１６２は、所定のコンテンツ情報を展開した画像データに対して、黒塗り領域情報で指定された領域に識別情報を付した自装置向け画像データを生成し、自装置向け画像データ１５３へ保存する。（Ｓ２：画像データ生成ステップ）。その後、画像データ出力部１６３は、表示部１３０には自装置向け画像データ１５３を表示させる（Ｓ３：画像データ出力ステップ）。
【００４０】
Ｓ３の後、画像データ生成部１６２は、更新トリガーを検知したか否かを判定する（Ｓ４）。更新トリガーを検知したと判定した場合（Ｓ４でＹＥＳ）、画像データ生成部１６２は自装置向け画像データ１５３を取得し、黒塗り領域情報１５２から取得した黒塗り領域情報で指定された領域を黒塗り領域で重畳する。そして、画像データ生成部１６２は外部表示機器向け画像データを生成し、外部表示機器向け画像データ１５４へ保存する（Ｓ５）。一方、更新トリガーを検知しなかった場合、処理はＳ１へ進み、Ｓ１〜Ｓ４の処理を繰り返す。
【００４１】
Ｓ５の後、画像データ出力部１６３は、接続部１１０を介して外部表示機器２００に外部表示機器向け画像データ１５４を表示させる（Ｓ６）。その後、制御部１６０は、ユーザ入力に基づいて、生徒用機器３００ａ〜３００ｃに外部表示機器向け画像データ１５４を出力するか否かを判定する（Ｓ７）。外部表示機器向け画像データ１５４を出力すると判定した場合（Ｓ７でＹＥＳ）、画像データ出力部１６３は、通信部１２０を介して生徒用機器３００ａ〜３００ｃに外部表示機器向け画像データ１５４を送信し、表示させる（Ｓ８）。そして表示装置１００は一連の処理を終了する。一方、外部表示機器向け画像データ１５４を出力しないと判定した場合（Ｓ７でＮＯ）、表示装置１００は一連の処理を終了する。
【００４２】
以上の処理によって、表示装置１００は、自装置にはコンテンツ情報のすべての内容を含み、外部の表示では黒塗り領域になっている場所に黒塗りであることを示す自装置向け画像データ１５３を表示する。表示装置１００はさらに、外部表示機器２００には少なくとも一部の領域を判読困難にした外部表示機器向け画像データ１５４を表示させる。これにより、例えばコンテンツ情報の一部を黒塗り領域とすることで、外部表示機器２００を見ているユーザの興味を喚起することができる。また、表示装置１００のユーザは、どこが黒塗り領域であるかを、黒塗りされている内容と共に確認できる。そして、必要に応じて生徒用機器３００ａ〜３００ｃに外部表示機器向け画像データ１５４を出力して表示させることができる。したがって、黒塗り領域を用いてユーザが意図した部分のみを表示させるといった詳細な表示制御ができる表示装置１００を提供するという効果を奏する。
【００４３】
なお、画像データ出力部１６３は生徒用機器３００ａ〜３００ｃに対して、自装置向け画像データ１５３または外部表示機器向け画像データ１５４を送信し、表示させてもよい。例えば生徒用機器３００ａ〜３００ｃに対して、はじめは黒塗り領域が設定された外部表示機器向け画像データ１５４を表示させ、後から自装置向け画像データ１５３を表示させるようにしてもよい。
【００４４】
〔実施形態２〕
本発明の実施形態２について、図１および図５を用いて以下に説明する。なお、説明の便宜上、前記実施形態にて説明した部材と同じ機能を有する部材については、同じ符号を付記し、その説明を繰り返さない。
【００４５】
（表示制御システムの構成）
本発明の実施形態２に係る表示制御システム１は、基本的には前記実施形態１と同一であるが、一部構成が異なる。本実施形態において、生徒用機器３００ａ〜３００ｃは、表示装置１００と同様の構成を備えている。具体的には、生徒用機器３００ａ〜３００ｃは、表示装置１００が有するコンテンツ情報１５１と内容が同一のコンテンツ情報（図示しない）を備えている。さらに、生徒用機器３００ａ〜３００ｃは、表示装置１００に対する入力と同一の入力を行った場合に、当該表示装置１００と同一の表示を行うことができる。例えば、生徒用機器３００ａ〜３００ｃは、表示装置１００と同一のハードウェア構成およびソフトウェア構成を備える装置（電子辞書や電子辞書アプリケーションを備えたタブレット端末など）であることが好適である。また、生徒用機器３００ａ〜３００ｃは、表示装置１００から通信部１２０を介して入力内容を受け付けると、受け付けた入力内容に基づいて各種動作を実行することができる。換言すれば、生徒用機器３００ａ〜３００ｃは、表示装置１００から受信した入力内容を、自身が備える入力部（図示しない）にて受け付けたユーザ入力として扱うことができる。
【００４６】
（表示装置の構成）
本実施形態に係る表示装置１００は、基本的には前記実施形態１と同一であるが、一部構成が異なる。入力内容同期部１６４は、入力部１４０より生徒用機器３００ａ〜３００ｃの表示内容を表示装置１００と同期させる旨のユーザ入力を受け付けると、当該表示装置１００に対して入力された入力内容の履歴を入力履歴１５５から取得する。そして入力内容同期部１６４は、取得した入力内容の履歴を生徒用機器３００ａ〜３００ｃへ送信し、生徒用機器３００ａ〜３００ｃの表示内容を表示装置１００と同期させる。すなわち、入力内容同期部１６４は、コンテンツ情報を自装置向け画像データ１５３として表示部１３０に表示するために表示装置１００に対して入力された入力内容の履歴を入力履歴１５５から取得し、取得した履歴を生徒用機器３００ａ〜３００ｃへ送信する。そして、生徒用機器３００ａ〜３００ｃは、受信した履歴に含まれる入力内容に基づき、時系列順に入力内容通りに画像データを修正することにより、表示装置１００と同じ表示内容を再現できる。これにより、表示装置１００と生徒用機器３００ａ〜３００ｃとの間で、表示内容が同期される。
【００４７】
（処理の流れ）
本実施形態に係る表示装置１００が実行する処理の流れについて、図５を用いて説明する。図５は、表示装置１００が実行する処理の流れの一例を示すフローチャートである。
【００４８】
Ｓ１〜Ｓ６の処理は、前記実施形態１にて図４を用いて説明した内容と同一である。Ｓ６の後、入力内容同期部１６４は、生徒用機器３００ａ〜３００ｃの表示内容を表示装置１００と同期させる旨のユーザ入力を受け付けたか否かを判定する（Ｓ１１）。表示内容を同期させる旨のユーザ入力を受け付けたと判定した場合（Ｓ１１でＹＥＳ）、入力内容同期部１６４は入力履歴１５５から表示内容を同期させるために必要な入力履歴を取得し、生徒用機器３００ａ〜３００ｃに送信する。そして、生徒用機器３００ａ〜３００ｃに入力履歴に基づいて画像データを修正させ、表示装置１００と同じ表示内容を再現させる（Ｓ１２）。
【００４９】
以上の処理によれば、本実施形態に係る表示装置１００は、当該表示装置１００に対して入力された入力内容にしたがって生徒用機器３００ａ〜３００ｃを動作させ、表示装置１００と表示内容を同期させることができる。
【００５０】
本実施形態は、表示装置１００と同一の入力を生徒用機器３００ａ〜３００ｃに対して実行すると、当該表示装置１００と生徒用機器３００ａ〜３００ｃとが同一の表示を行うことが可能な構成であることが前提である。これは、例えば第三者へ展開することが制限されているようなコンテンツ情報を生徒用機器３００ａ〜３００ｃに表示させたい場合などに特に有効である。また、前述のような制限の無いコンテンツ情報については、前記実施形態１のように表示装置１００から生徒用機器３００ａ〜３００ｃに自装置向け画像データ１５３を送信してもよい。この場合、制御部１６０は、コンテンツ情報に対する制限の有無に基づいていずれかの方法を選択してもよい。
【００５１】
なお、生徒用機器３００ａ〜３００ｃが入力履歴に基づいて表示装置１００と同じ表示内容を再現すると、当該生徒用機器３００ａ〜３００ｃには自装置向け画像データ１５３と同様の内容が表示される。すなわち、生徒用機器３００ａ〜３００ｃに表示される画像は、黒塗り領域ではなく識別情報が付された画像となる。そのため、生徒用機器３００ａ〜３００ｃに外部表示機器向け画像データ１５４と同様の内容を表示させるために、表示装置１００は入力履歴とともに、さらなる付加情報を送信してもよい。付加情報は、例えば入力履歴に基づいて自装置向け画像データ１５３を生成した後、図４のＳ５およびＳ６に相当する処理を生徒用機器３００ａ〜３００ｃに実行させるためのものであってもよい。
【００５２】
〔実施形態３〕
本発明の実施形態３について、図１、図６〜図９を用いて以下に説明する。なお、説明の便宜上、前記実施形態にて説明した部材と同じ機能を有する部材については、同じ符号を付記し、その説明を繰り返さない。
【００５３】
（表示制御システムの構成）
本発明の実施形態３に係る表示制御システム１は、基本的には前記各実施形態と同一であるが、一部構成が異なる。本実施形態において、表示装置１００は、外部表示機器２００が表示する表示内容の更新を任意のタイミングで停止および再開させることができる。
【００５４】
（表示装置の構成）
本実施形態に係る表示装置１００は、基本的には前記各実施形態１と同一であるが、一部構成が異なる。制御部１６０は、入力部１４０に対するユーザ操作にしたがって、外部表示機器２００の表示内容の更新を停止または再開することができる。具体的には、制御部１６０は外部表示機器向け画像データ１５４の生成の実行および停止を切り替える旨のボタン入力を検知すると、画像データ生成部１６２に対して外部表示機器向け画像データの生成の実行および停止を切り替える。
【００５５】
画像データ生成部１６２は、外部表示機器向け画像データ１５４の生成の実行および停止を切り替え可能である。具体的には、画像データ生成部１６２は、外部表示機器向け画像データ１５４の生成を実行するボタンが押下されたことを制御部１６０が検知した場合は、外部表示機器向け画像データ１５４の生成を実行する。また、画像データ生成部１６２は、外部表示機器向け画像データ１５４の生成を停止するボタンが押下されたことを制御部１６０が検知した場合は、外部表示機器向け画像データ１５４を生成しない。
【００５６】
（表示内容の更新停止の具体例）
本発明の実施形態３に係る表示制御システム１において、表示装置１００が外部表示機器２００の表示内容の更新を停止する具体例について、図６を用いて説明する。図６は、表示制御システム１における表示制御の概要を示す模式図であり、（ａ）は表示装置１００と外部表示機器２００との間で画像データが同期して表示されている状態を示し、（ｂ）は外部表示機器２００における表示内容の更新を停止した状態を示している。
【００５７】
図６の（ａ）は、表示装置１００が電子辞書アプリケーションの検索画面を表示している場合の、表示部１３０および外部表示機器２００の表示内容を示している。図示の例において、表示部１３０および外部表示機器２００には、同一の表示内容として検索画面が表示されている。ここで、表示装置１００のユーザが後述する出力停止ボタン４０３を押下し、さらに検索画面において特定のキーワードを検索語として入力し、検索結果画面を表示部１３０に表示させるものとする。
【００５８】
図示の例において、表示部１３０に表示されている検索画面には、画面右側に画面転送ボタン４０１、操作転送ボタン４０２、出力停止ボタン４０３、領域追加ボタン４０４、および領域消去ボタン４０５の５つのボタンが示されている。
【００５９】
画面転送ボタン４０１を押下すると、表示装置１００は生徒用機器３００ａ〜３００ｃへ外部表示機器向け画像データ１５４の出力を開始する。操作転送ボタン４０２を押下すると、表示装置１００は生徒用機器３００ａ〜３００ｃへ、表示内容を同期させるための入力履歴の送信を開始する。なお、画面転送ボタン４０１を押下した時点で外部表示機器２００の表示内容の更新が停止中である場合は、外部表示機器向け画像データ１５４の生成および当該外部表示機器２００への出力を併せて実行してもよい。
【００６０】
出力停止ボタン４０３は、表示装置１００が外部表示機器２００の表示内容の更新を実行している間に表示されるボタンであり、当該ボタンを押下すると表示装置１００は外部表示機器２００の表示内容の更新を停止する。なお、出力停止ボタン４０３を押下すると当該ボタンは後述する出力再開ボタン４０６に表示が切り替わる。また、出力再開ボタン４０６を押下すると表示装置１００は外部表示機器２００の表示内容の更新を再開し、かつ当該ボタンの表示が出力停止ボタン４０３に切り替わる。なお、出力停止ボタン４０３および出力再開ボタン４０６は、前述したように押下によって交互に表示されるトグルボタンであってもよいし、別々のボタンとして同時に表示されてもよい。
【００６１】
領域追加ボタン４０４を押下すると、表示装置１００は黒塗り領域を追加することが可能な状態へ遷移する。領域消去ボタン４０５を押下すると、表示装置１００は設定済みである黒塗り領域を解除することが可能な状態へ遷移する。黒塗り領域を追加することが可能な状態、および設定済みである黒塗り領域を解除することが可能な状態は、黒塗り領域の設定および解除以外の、入力部１４０に対する任意の操作を受け付けた場合に解除されてもよい。
【００６２】
図６の（ｂ）は、図６の（ａ）において外部表示機器２００の表示内容の更新を停止中である場合の、表示部１３０および外部表示機器２００の表示内容を示している。図示の例において、表示部１３０には検索結果画面が表示されている一方、外部表示機器２００には図６の（ａ）と同一の検索画面が表示されている。また、表示部１３０に表示されている検索結果画面には、出力停止ボタン４０３の代わりに出力再開ボタン４０６が表示されている。すなわち、外部表示機器２００は、表示内容の更新を停止中である場合、更新が停止される直前に表示した表示内容（図示の例によれば検索画面）を表示させ続ける。
【００６３】
（表示内容の更新再開の具体例）
本発明の実施形態３に係る表示制御システム１において、表示装置１００が外部表示機器２００の表示内容の更新を再開する具体例について、図７を用いて説明する。図７は、表示制御システム１における表示制御の概要を示す模式図であり、（ａ）は外部表示機器２００における表示内容の更新を停止した状態を示し、（ｂ）は表示装置１００と外部表示機器２００との間で画像データが同期して表示されている状態を示している。
【００６４】
図７の（ａ）は、外部表示機器２００における表示内容の更新を停止した状態における、表示部１３０および外部表示機器２００の表示内容を示している。図示の例において、表示部１３０には電子辞書アプリケーションの検索結果画面が表示されており、外部表示機器２００には検索画面が表示されている。また、図７の（ｂ）は、図７の（ａ）においてユーザが検索結果画面の一部に対して黒塗り領域を設定した後、出力再開ボタン４０６を押下して外部表示機器２００の表示内容の更新を再開した場合の表示部１３０および外部表示機器２００の表示内容を示している。
【００６５】
操作の流れについて説明する。まず、表示装置１００および外部表示機器２００において検索画面を表示させたあと、出力停止ボタン４０３を押下して表示内容の同期を停止する。その後、表示装置１００にて検索を実行して検索結果画面を表示させ、さらに領域追加ボタン４０４を押下して黒塗り領域を設定する。なお、この間、外部表示機器２００には検索画面が表示され続ける。黒塗り領域の設定後、表示装置１００において出力再開ボタン４０６を押下して出力内容の同期を再開させると、外部表示機器２００には、黒塗り領域が設定された検索結果画面が表示されることとなる。なお、この操作によって出力再開ボタン４０６は出力停止ボタン４０３に切り替わる。
【００６６】
（表示内容の更新停止〜再開の具体例）
本発明の実施形態３に係る表示制御システム１において、表示装置１００が外部表示機器２００の表示内容の更新を停止および再開する具体例について、図８を用いて説明する。図８は、表示制御システム１における表示制御の概要を示す模式図であり、（ａ）は外部表示機器２００における表示内容の更新を停止して黒塗り領域を解除する場合を示し、（ｂ）は（ａ）の後、外部表示機器２００の表示内容の更新を再開した場合を示している。図８は、図７における一連の操作の後に実行することができる。
【００６７】
図８の（ａ）は、外部表示機器２００における表示内容の更新を停止して黒塗り領域を解除する場合の、表示部１３０および外部表示機器２００の表示内容を示している。図示の例において、表示部１３０および外部表示機器２００には電子辞書アプリケーションの検索結果画面が表示されており、当該検索結果画面には通知メッセージとして「（１）〜（３）」が付された３つの黒塗り領域および識別情報が設定されている。
【００６８】
まず、表示装置１００のユーザが出力停止ボタン４０３を押下して、外部表示機器２００の表示内容の更新を停止する。この操作によって、外部表示機器２００の表示内容の更新が停止し、出力停止ボタン４０３は出力再開ボタン４０６に切り替わる。
【００６９】
次に、表示装置１００のユーザは領域消去ボタン４０５を押下した後、通知メッセージが「（２）」および「（３）」である２つの黒塗り領域を指定して黒塗り領域の解除を行う。黒塗り領域の指定は、図示したような範囲指定で行われてもよいし、個別に指定されてもよい。なお、この間、外部表示機器２００には「（１）〜（３）」が付された３つの黒塗り領域が設定された検索結果画面が表示され続ける。
【００７０】
図８の（ｂ）は、図８の（ａ）において表示装置１００のユーザが外部表示機器２００の表示内容の更新の停止および黒塗り領域の解除を行った後に当該外部表示機器２００の表示内容の更新を再開する場合の、表示部１３０および外部表示機器２００の表示内容を示している。図示の例において、表示部１３０には、図８の（ａ）において表示装置１００のユーザが行った操作内容が反映された検索結果画面が表示されている。具体的には、通知メッセージが「（２）」および「（３）」である２つの黒塗り領域に対応する識別情報が消去された検索結果画面が表示されている。ここで、表示装置１００のユーザが出力再開ボタン４０６を押下して外部表示機器２００の表示内容の更新を再開すると、外部表示機器２００には、表示部１３０の表示内容に対応した表示内容が表示される。具体的には、通知メッセージが「（２）」および「（３）」である２つの黒塗り領域が解除され、さらに出力再開ボタン４０６が出力停止ボタン４０３に切り替わった検索結果画面が表示される。
【００７１】
なお、黒塗り領域の解除は、当該黒塗り領域によって判読できなくなっていたコンテンツを、判読できるように表示させるために実行するものである。そのため、表示装置１００のユーザ（先生）は、解除の手順を外部表示機器２００などに表示しない方がよい場合、図８の（ａ）を用いて説明した手順にしたがって外部表示機器２００における表示内容の更新を停止した後に黒塗り領域の解除を行う。なお、解除の手順を外部表示機器２００などに表示しても問題ない場合は、表示内容の更新を停止せず黒塗り領域の解除のみをしてもよい。
【００７２】
（処理の流れ）
本実施形態に係る表示装置１００が実行する処理の流れについて、図９を用いて説明する。図９は、表示装置１００が実行する処理の流れの一例を示すフローチャートである。なお、以下の説明において、表示装置１００は外部表示機器２００の表示内容の更新を実行中であるものとする。
【００７３】
まず、制御部１６０は、出力停止ボタン４０３が押下されたか否かを判定する（Ｓ２１）。出力停止ボタン４０３が押下されたと判定した場合（Ｓ２１でＹＥＳ）、制御部１６０は、画像データ生成部１６２に外部表示機器向け画像データの生成を停止させることにより、外部表示機器２００の表示内容の更新を停止する（Ｓ２２）。
【００７４】
Ｓ２２の後、黒塗り領域設定部１６１は図４および図５のＳ１と同様に、ユーザ入力に基づいて、表示部１３０に表示中である自装置向け画像データ１５３に含まれる所定のコンテンツ情報に対して黒塗り領域を設定し、黒塗り領域情報１５２に保存する（Ｓ２３）。さらに、画像データ生成部１６２はＳ２２で設定された領域に識別情報を付した自装置向け画像データを生成し、自装置向け画像データ１５３へ保存する。（Ｓ２４）。その後、画像データ出力部１６３は、表示部１３０には自装置向け画像データ１５３を表示させる（Ｓ２５）。
【００７５】
Ｓ２５の後、制御部１６０は、出力再開ボタン４０６が押下されたか否かを判定する（Ｓ２６）。出力再開ボタンが押下されたと判定した場合（Ｓ２６でＹＥＳ）、制御部１６０は、画像データ生成部１６２に外部表示機器向け画像データの生成を再度実行させることにより、外部表示機器２００の表示内容の更新を再開する（Ｓ２７）。そして、図４および図５におけるＳ５およびＳ６と同様にして、画像データ生成部１６２が外部表示機器向け画像データを生成して外部表示機器向け画像データ１５４へ保存し（Ｓ２８）、画像データ出力部１６３が保存した外部表示機器向け画像データ１５４を外部表示機器２００に表示させる（Ｓ２９）。
【００７６】
このようにして、本実施形態に係る表示装置１００は、外部表示機器２００の表示内容の更新を停止および再開することができる。表示装置１００のユーザ（先生）は、例えば外部表示機器２００を用いてコンテンツ情報を表示中に黒塗り領域を設定および解除する操作を行う際、当該操作を外部表示機器２００を視認する生徒に見られることがない。これを用いて、例えば任意のタイミングで黒塗り領域を設問として設定し、外部表示機器２００を視認する生徒に回答させる穴あき問題を作成することができる。また、生徒の回答後に黒塗り領域を解除して正解を当該生徒に示すことができる。
【００７７】
なお、前述の説明において外部表示機器２００には、表示部１３０と同様に画面転送ボタン４０１などが表示される構成であったが、これらのボタンは、外部表示機器２００に表示されてもよいし、されなくてもよい。
【００７８】
〔変形例〕
前記各実施形態において、表示装置１００は生徒用機器３００ａ〜３００ｃのいずれかに表示されている表示内容を取得し、表示部１３０に表示してもよい。表示装置１００のユーザは、生徒用機器３００ａ〜３００ｃにおいてどのように画像データが表示されているかを確認してもよい。
【００７９】
前記実施形態２において、黒塗り領域設定部１６１は表示装置１００を用いて設定された黒塗り領域情報を黒塗り領域情報１５２に保存する構成であったが、これに限定されなくてもよい。黒塗り領域設定部１６１は、例えば生徒用機器３００ａ〜３００ｃのいずれかにおいて設定された黒塗り領域情報を通信部１２０を介して取得し、黒塗り領域情報１５２に保存してもよい。
【００８０】
前記実施形態３において、画像データ生成部１６２が外部表示機器２００の表示内容の更新を停止および再開する契機は、ボタンの押下以外であってもよい。例えば、表示装置１００において、外部表示機器２００への表示が禁止されているコンテンツ情報を含む画像データを表示する場合は当該外部表示機器２００の表示内容の更新を自動的に停止してもよい。このとき、コンテンツ情報ごとに外部表示機器２００への出力可否を予め設定しておいてもよい。
【００８１】
前記各実施形態において、表示装置１００は自装置向け画像データ１５３および外部表示機器向け画像データ１５４を生成および出力する構成であった。しかしながら、外部表示機器２００などに対して黒塗り領域が設定された画像データを表示させることが可能な構成であれば、表示装置１００はどのような構成であってもよい。例えば、表示装置１００は、自装置向け画像データ１５３のみを生成する構成であってもよい。このとき、表示装置１００は外部表示機器２００に対して自装置向け画像データ１５３を送信し、さらに当該自装置向け画像データ１５３に付された識別情報に対応する領域を示すエリア情報を送信する。そして、外部表示機器２００は、自装置向け画像データ１５３に対して、エリア情報で示された領域を黒塗り領域とした後、表示させる。エリア情報は、黒塗り領域情報１５２と同様の形式であってもよいし、黒塗り領域をどのように表示するかといった表示形式に関する情報をさらに含んでもよい。例えば、エリア情報は、黒塗り領域について判読困難となるようにするか、判読はできるが他の領域と区別できるようにするかといった情報を含んでもよい。
【００８２】
〔ソフトウェアによる実現例〕
表示装置１００の制御ブロック（特に画像データ生成部１６２および画像データ出力部１６３）は、集積回路（ＩＣチップ）等に形成された論理回路（ハードウェア）によって実現してもよいし、ソフトウェアによって実現してもよい。
【００８３】
後者の場合、表示装置１００は、各機能を実現するソフトウェアであるプログラムの命令を実行するコンピュータを備えている。このコンピュータは、例えば少なくとも１つのプロセッサ（制御装置）を備えていると共に、前記プログラムを記憶したコンピュータ読み取り可能な少なくとも１つの記録媒体を備えている。そして、前記コンピュータにおいて、前記プロセッサが前記プログラムを前記記録媒体から読み取って実行することにより、本発明の目的が達成される。前記プロセッサとしては、例えばＣＰＵ（Central Processing Unit）を用いることができる。前記記録媒体としては、「一時的でない有形の媒体」、例えば、ＲＯＭ（Read Only Memory）等の他、テープ、ディスク、カード、半導体メモリ、プログラマブルな論理回路などを用いることができる。また、前記プログラムを展開するＲＡＭ（Random Access Memory）などをさらに備えていてもよい。また、前記プログラムは、該プログラムを伝送可能な任意の伝送媒体（通信ネットワークや放送波等）を介して前記コンピュータに供給されてもよい。なお、本発明の一態様は、前記プログラムが電子的な伝送によって具現化された、搬送波に埋め込まれたデータ信号の形態でも実現され得る。
【００８４】
〔まとめ〕
本発明の態様１に係る表示装置（１００）は、自装置に接続された外部表示機器（２００）にコンテンツ情報（１５１）を表示可能な表示装置であって、前記表示装置は、自装置に表示させる自装置向け画像データ（１５３）および前記外部表示機器に表示させる外部表示機器向け画像データ（１５４）を生成する画像データ生成部（１６２）と、前記自装置向け画像データおよび前記外部表示機器向け画像データのそれぞれを対象の装置に表示させる画像データ出力部（１６３）と、を備えており、前記外部表示機器向け画像データは前記自装置向け画像データについて、少なくとも一部の領域を判読困難にした画像データである構成である。
【００８５】
前記の構成によれば、表示装置は、自装置には自装置向け画像データを表示し、かつ外部表示機器には少なくとも一部の領域を判読困難にした外部表示機器向け画像データを表示させることができる。これにより、例えばコンテンツ情報の一部を判読困難とすることで、外部表示機器を見ているユーザの興味を喚起することができる。また、表示装置のユーザは、判読困難領域に含まれるコンテンツ情報の内容を、当該表示装置を見ることによって確認できる。したがって、判読困難領域を用いてユーザが意図した部分のみを表示させるといった詳細な表示制御ができる表示装置を提供するという効果を奏する。
【００８６】
本発明の態様２に係る表示装置（１００）は、前記態様１において、前記コンテンツ情報（１５１）は、学習用の情報を含んでいる構成としてもよい。
【００８７】
前記の構成によれば、表示装置は、学習用の情報の一部を判読困難として外部表示機器に表示させることができる。これにより、例えば表示装置のユーザ（先生）は判読困難領域を用いた講義などを生徒に対して実施することができる。
【００８８】
本発明の態様３に係る表示装置（１００）は、前記態様１または２において、前記自装置向け画像データ（１５３）および前記外部表示機器向け画像データ（１５４）は、少なくとも１つのキーワードを含むキーワード領域と、前記キーワードの詳細情報を含む詳細情報領域とを含んでおり、前記判読困難にした領域は、前記詳細情報領域の少なくとも一部に対して設定される構成としてもよい。
【００８９】
前記の構成によれば、外部表示機器には、詳細情報領域の少なくとも一部が判読困難領域とされた外部表示機器向け画像データが表示される。これにより、例えば詳細情報領域の一部のみを判読困難領域として外部表示機器に表示させるなど、より利便性に優れた表示装置を提供できる。
【００９０】
本発明の態様４に係る表示装置（１００）は、前記態様１から３のいずれかにおいて、前記自装置向け画像データ（１５３）は、前記判読困難にした領域に対応する領域を他の領域と区別するための識別情報を備えている構成としてもよい。
【００９１】
前記の構成によれば、表示装置のユーザは、判読困難領域が適切に設定されているか否かを識別情報に基づいて判断することができる。これにより、表示装置のユーザは、表示装置と外部表示機器とを見比べることなく、判読困難領域を適切に管理することができる。
【００９２】
本発明の態様５に係る表示装置（１００）は、前記態様１から４のいずれかにおいて、前記判読困難にした領域を設定および解除する領域設定部（黒塗り領域設定部１６１）をさらに備えている構成としてもよい。前記の構成によれば、表示装置は、外部表示機器に表示される外部表示機器向け画像データについて、判読困難領域を設定および解除することができる。
【００９３】
本発明の態様６に係る表示装置（１００）は、前記態様１から５のいずれかにおいて、前記画像データ生成部（１６２）は、前記自装置向け画像データ（１５３）に基づいて前記外部表示機器向け画像データ（１５４）を生成するものであって、前記外部表示機器向け画像データの生成の実行および停止を、ユーザ操作にしたがって切り替え可能である構成としてもよい。
【００９４】
前記の構成によれば、表示装置は、外部表示機器の表示内容の更新を停止および再開させることができる。これにより、表示装置のユーザは、例えば外部表示機器を用いてコンテンツ情報を表示中に判読困難領域を設定および解除する操作を行う際、当該操作を外部表示機器を視認する生徒に見られることがない。これを用いて、例えば任意のタイミングで判読困難領域を設問として設定し、外部表示機器を視認する生徒に回答させる穴あき問題を作成することができる。また、生徒の回答後に判読困難領域を解除して正解を当該生徒に示すことができる。
【００９５】
本発明の態様７に係る表示装置（１００）は、前記態様１から６のいずれかにおいて、前記表示装置は、少なくとも１つの生徒用機器（３００ａ〜３００ｃ）と通信可能に接続されており、前記画像データ出力部（１６３）は、前記生徒用機器に対して前記自装置向け画像データ（１５３）または前記外部表示機器向け画像データ（１５４）を送信し、表示させる構成としてもよい。
【００９６】
前記の構成によれば、表示装置は、生徒用機器にすべてのコンテンツ情報を確認することができる画像データまたは判読困難領域が設定された画像データを表示させることができる。これにより、例えば外部表示機器または生徒用機器を用いて生徒用機器のユーザ（生徒）にコンテンツ情報の一部を提示した後、当該生徒用機器へすべてのコンテンツ情報を提示することができる。すなわち、外部表示機器と生徒用機器で異なる画像データを表示させることで、生徒に対してバリエーションを持たせたコンテンツ情報の提示を行うことができる。
【００９７】
本発明の態様８に係る表示装置（１００）は、前記態様１から６のいずれかにおいて、前記表示装置と同一の前記コンテンツ情報（１５１）を備えている少なくとも１つの生徒用機器（３００ａ〜３００ｃ）と通信可能に接続されており、前記コンテンツ情報を表示するために当該表示装置に対して入力された入力内容の履歴を前記生徒用機器へ送信し、表示内容を同期させる入力内容同期部（１６４）をさらに備えている構成としてもよい。
【００９８】
前記の構成によれば、表示装置に対して入力された入力内容にしたがって生徒用機器を動作させ、当該表示装置と表示内容を同期させることができる。これにより、例えば別の装置に内容を表示することを禁止するライセンス契約が結ばれているコンテンツ情報について、ライセンス契約に違反することなく別の装置に当該コンテンツ情報を表示させることができる。
【００９９】
本発明の態様９に係る表示制御システム（１）は、前記態様１から８のいずれかにおける表示装置（１００）と、前記表示装置と接続され、前記外部表示機器向け画像データ（１５４）を表示する外部表示機器（２００）と、前記表示装置と通信可能に接続されている少なくとも１つの生徒用機器（３００ａ〜３００ｃ）と、を備えている構成としてもよい。前記の構成によれば、前記態様１と同様の作用効果を奏する。
【０１００】
本発明の態様１０に係る表示制御方法は、自装置に接続された外部表示機器（２００）にコンテンツ情報（１５１）を表示可能な表示装置（１００）の表示制御方法であって、自装置の表示部（１３０）に表示させる自装置向け画像データ（１５３）および前記外部表示機器に表示させる外部表示機器向け画像データ（１５４）を生成する画像データ生成ステップ（Ｓ２）と、前記自装置向け画像データおよび前記外部表示機器向け画像データのそれぞれを対象の装置に表示させる画像データ出力ステップ（Ｓ３）と、を含み、前記外部表示機器向け画像データは前記自装置向け画像データの少なくとも一部の領域を判読困難にした画像データである方法である。前記の構成によれば、前記態様１と同様の作用効果を奏する。
【０１０１】
本発明の各態様に係る表示装置（１００）は、コンピュータによって実現してもよく、この場合には、コンピュータを前記表示装置が備える各部（ソフトウェア要素）として動作させることにより前記表示装置をコンピュータにて実現させる表示装置の制御プログラム、およびそれを記録したコンピュータ読み取り可能な記録媒体も、本発明の範疇に入る。
【０１０２】
本発明は前述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１０３】
１  表示制御システム
１００  表示装置
１１０  接続部
１２０  通信部
１３０  表示部
１４０  入力部
１５０  記憶部
１５１  コンテンツ情報
１５２  黒塗り領域情報
１５３  自装置向け画像データ
１５４  外部表示機器向け画像データ
１５５  入力履歴
１６０  制御部
１６１  黒塗り領域設定部（領域設定部）
１６２  画像データ生成部
１６３  画像データ出力部
１６４  入力内容同期部
２００  外部表示機器
３００ａ  生徒用機器
３００ｂ  生徒用機器
３００ｃ  生徒用機器
【図１】
2019124817.tif 000003
【図２】
2019124817.tif 000004
【図３】
2019124817.tif 000005
【図４】
2019124817.tif 000006
【図５】
2019124817.tif 000007
【図６】
2019124817.tif 000008
【図７】
2019124817.tif 000009
【図８】
2019124817.tif 000010
【図９】
2019124817.tif 000011